(57)【要約】【課題】工具使用に際して、対象物の錆を簡単に除去して工具使用の便を図る。【解決手段】駆動部１１及びグリップ部１２を具えた工具本体１０のグリップ部に中空部１３を設けて、電源供給体２２、駆動源２３、スイッチ制御２４及び錆除去本体２５を具えた錆除去装置を収容し、錆除去本体に設けた鉄ブラシ２５１を対象物に押し当てることにより、錆除去本体、スイッチ制御が押圧され、押圧式スイッチ機構からなるスイッチ制御により駆動源に電源が供給され、駆動源から駆動ブロックを経て振動が伝えられることによって、格別の操作を行なうことなく鉄ブラシにより錆除去を行なうことができる。【選択図】図３
2004202589.tif 000002
【特許請求の範囲】
【請求項１】
主に工具本体及び錆除去装置により構成し、
該工具本体の両端にそれぞれ駆動部及びグリップ部を設けて、グリップ部へ設置中空部を設け、
且該錆除去装置は装置本体、電源供給体、駆動源、スイッチ制御及び錆除去本体を含み、該装置本体内へ別の設置中空部を設け、スイッチ制御、駆動源、及び電源供給体の順で配置し、該駆動源は駆動を受けて動く駆動ブロックを具え、スイッチ制御は両極導線を設けて電源に導通させ、
さらに錆除去本体に錆除去用の鉄ブラシを設け、
上記の構成により錆除去本体を対象物に押圧することにより、スイッチ制御は駆動源の駆動を制御し、錆除去本体の鉄ブラシを作動させることを特徴とする工具の改良構造。
【請求項２】
該スイッチ制御は、押圧式のスイッチであることを特徴とする請求項１記載の工具の改良構造。
【請求項３】
錆除去本体或いは鉄ブラシ交換のため、装置本体の外端の外周に定位孔を設け、定位鋼球及び加圧リングを設け、定位鋼球は加圧リングの加圧力を受けて定位孔内に突出させ、
他方、錆除去本体には凹溝を設けて位置決めするようにしてなることを特徴とする請求項１記載の工具の改良構造。
【発明の詳細な説明】
【０００１】
【発明の属する技術分野】
本発明は、工具を用いて操作するに際して対象物の錆を除去する手段に関する。特に、その錆除去を簡単、且つ容易に行なうため、且スイッチ制御或いは駆動源を設け、振動を発生させて錆除去作用を行なう錆除去装置設けた工具に関する。
【０００２】
【従来の技術】
公知の工具を使用する際、工具を適用する対象物には湿度等による錆の問題があり、使用する前に予め錆除去処理を行う必要がある場合が少なくない。
このような時、大部分の工具等の錆除去方式はたたくことにより錆の部分を落とすが、このたたく方式では完全に錆を落とすことは不可能なので錆の部分を直接こする等してこそぎ落とす必要がある。
【０００３】
【発明が解決しようとする課題】
上記公知技術の欠点を解決するため、工具に設けた錆除去装置の錆除去本体を利用することにより、且スイッチ制御或いは駆動源により工具本体を使用する時、錆除去本体を押し付けて、振動を発生させ、錆除去本体の鉄ブラシを使用して容易に錆除去効果を達成することにより、実用性及び産業性の利用価値を付与し、公知の工具に於ける錆除去手段の欠点を改善することを課題とする。
【０００４】
【課題を解決するための手段】
上記課題を解決するため、本発明は下記の工具構造の改良を提供する。
本発明は一種の工具の構造に関し、該工具本体の両端にそれぞれ駆動部及びグリップ部を設けて、グリップ部へ設置中空部を設け、
且該錆除去装置は装置本体、電源供給体、駆動源、スイッチ制御及び錆除去本体を含み、該装置本体内へ別の設置中空部を設け、スイッチ制御、駆動源、及び電源供給体の順で配置し、該駆動源は駆動を受けて動く駆動ブロックを具え、スイッチ制御は両極導線を設けて電源に導通させ、
さらに錆除去本体に錆除去用の鉄ブラシを設け、
上記の構成により錆除去本体を対象物に押圧することにより、スイッチ制御は駆動源の駆動を制御し、錆除去本体の鉄ブラシを作動させることにより、錆除去作業を容易におこなうことができる。
【０００５】
【発明の実施と形態】
図１、２、３、４、５、６が示すように、主に工具本体１０及び錆除去装置２０から構成し、
該工具本体１０の両端にそれぞれ駆動部１１及びグリップ部１２を設け、グリップ部１２へ設置中空部１３を設ける。
且該錆除去装置２０は、装置本体２１、電源供給体２２、駆動源２３、スイッチ制御２４及び錆除去本体２５を含み、該装置本体２１内に別の設置中空部２１１を設け、且該設置中空部２１１の端部２１２に錆除去本体２５を固定し、スイッチ制御２４、駆動源２３及び電源供給体２２を配置し、該駆動源２３は駆動を受けて動く駆動ブロック２３１を設け、スイッチ制御２４は両極導線２４１、２４２を設けてそれぞれ駆動源２３の一極及び工具本体１０へ導通する。
【０００６】
図４、５が示すように、且錆除去本体２５を設け、錆除去用の鉄ブラシ２５１を設け、この他に本発明のスイッチ制御は押圧式のスイッチが最適である。
例えば、スイッチ制御２４の両極導線２４１、２４２はそれぞれ電源供給体２２から陰極導線２４２は駆動源２３へ導通し、工具本体１０を経由して陽極導線２４１が導通する為、本発明の錆除去装置２０は、工具本体１０のグリップ部１２の設置中空部１３内の任意の個所に設けることが可能であり、上記スイッチ機構を採用することにより本発明の使用時に容易に作動させることができる。
【０００７】
本発明を使用する時、錆除去本体２５を直接、錆除去を必要とする部位へ押し当て、このように錆除去本体２５は押圧されることにより該スイッチ制御２４へ接触して連動し、
駆動源２３はスイッチ制御２４の押圧を受けることにより駆動状態となり、スイッチ制御２４と連動して押圧されるとき、駆動源２３は駆動ブロック２３１を駆動し、駆動ブロック２３１の作動により、工具本体１０は上下に振動し、
錆除去本体２５に設けられた鉄ブラシ２５１による錆除去の目的を達成する、
【０００８】
この他に本発明は錆除去本体２５或いは鉄ブラシ２５１は、交換の必要のある場合には、図７、８が示すように、装置本体２１の外端の環に定位孔２１３を設け、定位鋼球２１４及び加圧リング２１５を設け、定位鋼球２１４は加圧リング２１５の圧力を受けて定位孔２１３内側方向に突出する。
【０００９】
一方、錆除去本体２５の相対する所へ凹溝２５２を設けて位置決めの効果を達成する。錆除去本体２５を交換する時には、装置本体２１を工具から出した状態で、定位鋼球２１４を加圧リング２１５の圧力に抗して定位孔２１３より押し出せばわずかな力ではずせ、よって錆除去本体２５を交換するという目的は達成する。
【発明の効果】
本発明は一種の工具の構造に関し、錆除去装置の錆除去本体を工具内に収容し、且スイッチ制御或いは駆動源を設け、工具本体を使用する時に錆除去本体を対象物に押し当てることにより振動を発生させ、錆除去本体の鉄ブラシにより容易に錆除去効果を達成することができる。
【図面の簡単な説明】
【図1】本発明の錆除去装置の分解図である。
【図2】本発明の錆除去装置の組合せ指示図である。
【図3】本発明の整体断面構造指示図である。
【図４】本発明の断面指示図である。
【図５】本発明の図３の拡大構造指示図である。
【図６】本発明の整体外観構造指示図である。
【図７】本発明の錆除去装置のもう一つの実施例分解構造指示図である。
【図８】本発明の錆除去装置のもう一つの実施例断面構造指示図である。
【符号の説明】
１０    工具本体
１１    駆動部
１２    グリップ部
１３    設置中空部
２０    錆除去装置
２１    装置本体
２１１  設置中空部
２１２  端部
２１３  定位孔
２１４  定位鋼球
２１５  加圧リング
２２    電源供給体
２３    駆動源
２３１  駆動ブロック
２４    スイッチ制御
２４１  陽極導線
２４２  陰極導線
２５    錆除去本体
２５１  鉄ブラシ
２５２  凹槽
【図１】
2004202589.tif 000003
【図２】
2004202589.tif 000004
【図３】
2004202589.tif 000005
【図４】
2004202589.tif 000006
【図５】
2004202589.tif 000007
【図６】
2004202589.tif 000008
【図７】
2004202589.tif 000009
【図８】
2004202589.tif 000010